(57)【要約】【課題】雨樋の後耳形状の変化に応じて、樋支持具本体を一々形成する必要がなく、樋支持具本体を共用可能な生産性の良い雨樋支持具を提供する。【解決手段】軒先等に固定される取付杆１と、前記取付杆１に連結されると共に、前、後端に雨樋Ｔの前耳Ｔ１及び後耳Ｔ２を保持可能な前耳保持部２１及び後耳保持部２２を備えた樋支持具本体２と、より成る雨樋支持具において、前記後耳保持部２２は、後耳Ｔ２の離脱を防止するために、上方へ弾性変形可能であって、且つ、下方への弾性変形を規制可能な弾性変形規制部５ｂを備えた離脱防止片５ａが一体的に形成された耳保持具５で構成している。【選択図】図１
2006063712.tif 000002
【特許請求の範囲】
【請求項１】
軒先等に固定される取付杆と、
前記取付杆に連結されると共に、前、後端に雨樋の前耳及び後耳を保持可能な前耳保持部及び後耳保持部を備えた樋支持具本体と、より成る雨樋支持具において、
前記後耳保持部は、後耳の離脱を防止するために、上方へ弾性変形可能であって、且つ、下方への弾性変形を規制可能な弾性変形規制部を備えた離脱防止片が一体的に形成された耳保持具で構成されていることを特徴とする雨樋支持具。
【請求項２】
請求項１において、
耳保持具は、板バネ材で形成された基板の両側端を同方向へ折り曲げて鍔部を形成すると共に、前記基板の一部を切り起こして取付片を形成してなり、この取付片を樋支持具本体の後端近傍に固定することで、基板の先端を前方に突出させた離脱防止片を構成すると共に、取付片の後方に位置された基板は、樋支持具本体の後端部に当接するようにして弾性変形規制部を構成している雨樋支持具。
【請求項３】
請求項１において、
耳保持具は、板バネ材で形成された基板の両側端を同方向へ折り曲げて鍔部を形成すると共に、前記基板の一部を切り起こして取付片を形成してなり、この取付片を樋支持具本体の本体部後端から立ち上げられた立上片に固定することで、基板の基端を後方に突出させた離脱防止片を構成すると共に、取付片の前方に位置された基板は、樋支持具本体の前記本体部後端に当接するようにして弾性変形規制部を構成している雨樋支持具。
【発明の詳細な説明】
【技術分野】
【０００１】
本発明は、雨樋を支持するための雨樋支持具に関し、詳しくは、軒先等に固定される取付杆と、前、後端に雨樋の前耳及び後耳を保持可能な前耳保持部及び後耳保持部を備えた樋支持具本体と、より成る雨樋支持具の改良に関するものである。
【背景技術】
【０００２】
従来、軒先等に固定される取付杆と、この取付杆に連結されると共に、前、後端に雨樋の前耳及び後耳を保持可能な前耳保持部及び後耳保持部を備えた樋支持具本体と、より成る雨樋支持具は公知であり、この樋支持具本体の後耳保持部には、雨樋の後耳を係止保持するため、上、下方向に弾性変形可能な離脱防止片と共に、この離脱防止片の下方への弾性変形を規制可能な弾性変形規制部が設けられている（例えば、特許文献１参照。）。
【０００３】
このような雨樋支持具に雨樋を取り付けるには、雨樋の前耳を樋支持具本体の前耳保持部に係止させた後、雨樋の後耳を樋支持具本体の後耳保持部の方向に押し込むと、上記離脱防止片が上方に弾性変形しながら、後耳が後耳保持部に嵌挿される。
【０００４】
そして、後耳の嵌挿を終えると、離脱防止片がバネ力によって元の位置へと弾性復元され、更に、弾性変形規制部が離脱防止片の下方への弾性変形を規制することにより、後耳の離脱を防止して、雨樋を樋支持具本体に保持するのである。
【０００５】
しかしながら、上記の雨樋支持具では、離脱防止片の下方への弾性変形を規制する弾性変形規制部を別途に設ける構造であったので、その構造が複雑となり、且つ、コストが高くなるという問題もあった。そのため、かかる問題解決するために、上記離脱防止片と弾性変形規制部とが一体形成された耳保持具を、上記後耳保持部に取り付けた構造の雨樋支持具も提案されている（例えば、特許文献２参照。）。
【特許文献１】実用新案登録第３０５４４９０号
【特許文献２】特開２００２−１６７９１９号
【発明の開示】
【発明が解決しようとする課題】
【０００６】
ところで、雨樋の形状、主として、後耳の形状には様々なものがあり、例えば、雨樋後端から後側に向けて突出させた外耳型の後耳形状のものや、これと逆に、雨樋後端から前側に向けて突出させた内耳型の後耳形状のものもある。更には、後耳形状が同様であっても、メーカーによって、雨樋の後耳形状が相違することも多い。
【０００７】
しかしながら、従来の雨樋支持具は、何れのものであっても、このような雨樋の後耳形状の変化に対応することはできない。
【０００８】
すなわち、従来の雨樋支持具では、樋支持具本体の後耳保持部は、雨樋の形状に応じて各々形成されており、この後耳保持部に、上記離脱防止片及び弾性変形規制部、又は、離脱防止片と弾性変形規制部とが一体形成された耳保持具を取り付けた構造であったため、これら離脱防止片及び弾性変形規制部、或いは耳保持具に関係なく、雨樋の後耳形状に応じた後耳保持部を備えた樋支持具本体を一々製造しなければならず、製造コストや管理コスト等が高くなり、生産性が悪いという問題があった。
【０００９】
本発明は、かかる課題を解決することを目的とするもので、雨樋の後耳形状の変化に応じて、樋支持具本体を一々形成する必要がなく、樋支持具本体を共用可能な生産性の良い雨樋支持具を提供する。
【課題を解決するための手段】
【００１０】
上記目的を達成するため、
請求項１に係る雨樋支持具は、軒先等に固定される取付杆と、前記取付杆に連結されると共に、前、後端に雨樋の前耳及び後耳を保持可能な前耳保持部及び後耳保持部を備えた樋支持具本体と、より成る雨樋支持具において、前記後耳保持部は、後耳の離脱を防止するために、上方へ弾性変形可能であって、且つ、下方への弾性変形を規制可能な弾性変形規制部を備えた離脱防止片が一体的に形成された耳保持具で構成されていることを特徴とする。
【００１１】
このものでは、樋支持具本体の後耳保持部が、耳保持具で構成されている点に特徴がある。すなわち、本発明の雨樋支持具は、樋支持具本体に耳保持具を一体的に設けることによって、後耳保持部としての機能が始めて備わるものであって、従来のように、耳保持具を設けなくても後耳保持部としての機能が予め備わっているものとは、その基本的構造が相違するものである。
【００１２】
請求項２に係る雨樋支持具は、請求項１において、耳保持具は、板バネ材で形成された基板の両側端を同方向へ折り曲げて鍔部を形成すると共に、前記基板の一部を切り起こして取付片を形成してなり、この取付片を樋支持具本体の後端近傍に固定することで、基板の先端を前方に突出させた離脱防止片を構成すると共に、取付片の後方に位置された基板は、樋支持具本体の後端部に当接するようにして弾性変形規制部を構成している。
【００１３】
このものでは、雨樋後端から後側に向けて突出させた外耳型の後耳形状の雨樋に対応させた耳保持具の具体的構造を特定している。
【００１４】
請求項３に係る雨樋支持具は、請求項１において、耳保持具は、板バネ材で形成された基板の両側端を同方向へ折り曲げて鍔部を形成すると共に、前記基板の一部を切り起こして取付片を形成してなり、この取付片を樋支持具本体の本体部後端から立ち上げられた立上片に固定することで、基板の基端を後方に突出させた離脱防止片を構成すると共に、取付片の前方に位置された基板は、樋支持具本体の前記本体部後端に当接するようにして弾性変形規制部を構成している。
【００１５】
このものでは、雨樋後端から前側に向けて突出させた内耳型の後耳形状の雨樋に対応させた耳保持具の具体的構造を特定している。
【発明の効果】
【００１６】
本発明によれば、次のような効果がある。
【００１７】
請求項１に係る雨樋支持具によれば、樋支持具本体の後耳保持部は、弾性変形規制部を備えた離脱防止片が一体的に形成された耳保持具で構成しているため、雨樋の後耳の形状に応じた耳保持具を形成して、これを樋支持具本体に取付けるだけで、後耳の形状に応じた後耳保持部を容易に形成できる。
【００１８】
そのため、雨樋の後耳形状の変化に応じて、樋支持具本体を一々形成する必要がなく、樋支持具本体を共用することができ、雨樋支持具の生産性を高めることができる。
【００１９】
また、耳保持具によって、雨樋支持具の後耳の離脱を防止できることは勿論である。
【００２０】
請求項２に係る雨樋支持具によれば、雨樋後端から後側に向けて突出させた外耳型の後耳形状の雨樋に対して、請求項１と同様の効果を発揮できる。
【００２１】
請求項３に係る雨樋支持具によれば、雨樋後端から前側に向けて突出させた内耳型の後耳形状の雨樋に対して、請求項１と同様の効果を発揮できる。
【発明を実施するための最良の形態】
【００２２】
以下、本発明に係る雨樋支持具Ａを図面に基づき説明する。
【実施例１】
【００２３】
図１は、本発明に係る雨樋支持具Ａの一実施例を示す概略側面図であり、図２は、図１で示した耳保持具の詳細図であり、図２（ａ）は耳保持具の斜視図、図２（ｂ）は耳保持具の正面図、図２（ｃ）は耳保持具の側面図、図２（ｄ）は耳保持具の平面図を各々示している。図３は、図１で示した後耳保持部に雨樋の後耳を取り付ける際の動作状態を示した要部拡大図であり、図３（ａ）は後耳を取り付ける前の後耳保持部の動作状態、図３（ｂ）は耳保持具の弾性に抗しながら後耳を後耳保持部に挿入している動作状態、図３（ｃ）は後耳を取り付けた後の後耳保持部の動作状態を各々示している。
【００２４】
なお、本実施例の図面中、左側を部材の前方、右側を部材の後方として説明している。
【００２５】
この雨樋支持具Ａは、軒先等に固定される取付杆１と、前、後端に雨樋Ｔの前耳Ｔ１及び後耳Ｔ２を保持可能な前耳保持部２１及び後耳保持部２２を備えた樋支持具本体２と、これら取付杆１と樋支持具本体２とを連結する連結具３と、この連結具３の下端に連結して樋支持具本体２の前、後移動をロック、アンロック操作するロックレバー４と、樋支持具本体２の後耳保持部２２を構成する耳保持具５と、から構成されている。
【００２６】
取付杆１は、軒先等に固定される取付足板１１の上端中央から前方に向けて足杆１２を延設し、この足杆１２の先端には、連結軸３を貫通する軸孔（不図示）を開設している。
【００２７】
樋支持具本体２は、取付杆１とスライド可能した本体部２３の前、後端に、前耳保持部２１及び後耳保持部２２を形成してなる。
【００２８】
本体部２３には、前後方向にスライド用長孔（不図示）が形成されており、連結軸３が、取付杆１の軸孔（不図示）と、上記スライド用長孔（不図示）とを貫通して軸着されることで、樋支持具本体２の前後移動を可能にしている。
【００２９】
また、連結軸３の下端には、樋支持具本体２の前、後移動をロック、アンロック操作するロックレバー４を連結している。図１で示したロックレバー４は、これを水平方向に回転操作することで、樋支持具本体２を押上げて取付杆１に圧着させてロック操作し、またその逆方向に操作すればアンロック操作できるものを示しているが、要するに、ロックレバー４を操作して、取付杆１と樋支持具本体２を圧接又は離脱させて、両者をロック又はアンロックできるものであれば、その構造は問わない。
【００３０】
本体部２３の先端には、雨樋Ｔの前耳Ｔ１を保持するように立上げされた前耳保持部２１を形成している。
【００３１】
本体部２３の後端は、一旦上方に立上げた立上片２２ａを形成し、この立上片２２ａ上端を後方に向けて略折り曲げると共に、下方に向けて縁設させたうえで、その下端を僅かに後方に傾斜させた傾斜片部２２ｂが形成された形状にしている。
【００３２】
本発明は、このような樋支持具本体２（又は、本体部２３）の後端に、耳保持具５を取り付けて固定することによって始めて後耳保持部２２が形成される点に特徴がある。
【００３３】
本実施例では、雨樋Ｔの後耳Ｔ２が、雨樋Ｔ後端から後側に向けて突出された外耳型の形状のものを例示して説明する。
【００３４】
この耳保持具５は、上方へ弾性変形可能であって、且つ、下方への弾性変形を規制可能な弾性変形規制部５ｂを備えた離脱防止片５ａが一体的に形成されて構成され、具体的には、図２（ａ）〜（ｄ）に示すように、板バネ材で形成された基板５１の両側端を下方へ僅かに折り曲げて鍔部５２を形成すると共に、基板５１の一部を図例のようにコ状に切り欠き、その切り欠いた片を上方に切り起こして取付片５３を形成してなる。なお、取付片５３の適所には、取付孔５４を開設している。
【００３５】
そして、図のように形成した取付片５３を、図１で示すように、樋支持具本体２の傾斜片部２２ｂの上方に位置する垂直面部分にリベット、溶接等の固着手段５６によって固定することによって、基板５１の先端が前方に突出されて離脱防止片５ａを形成できる。
【００３６】
同時に、取付片５３の後方に位置された基板後端部５５は、樋支持具本体２の傾斜片部２２ｂに当接され、この基板後端部５５が傾斜片部２２ｂに向けて弾性変形されることがないため、離脱防止片５ａが上方へ弾性変形可能であって、且つ、下方への弾性変形を規制可能となる弾性変形規制部５ｂを形成できる。
【００３７】
なお、雨樋Ａの後耳Ｔ２の形状に対応されて、離脱防止片５ａの突出程度や形状等は適宜選択されるが、図１から理解できるように、傾斜片部２２ｂの後方への傾斜角度と、取付片５３が基板５１から切り起こされる角度とは、略同角度であることが望ましい。
【００３８】
このように構成された本発明の雨樋支持具Ａは、以下の要領で雨樋Ｔを取り付ける。
【００３９】
先ず、軒先等に取付杆１を固定し、樋支持具本体２の出具合を調節した後、ロックレバー４をロック操作して樋支持具本体２を固定する。
【００４０】
次に、雨樋Ｔの前耳Ｔ１を樋支持具本体２の前耳保持部２１に一旦係止させたうえで、雨樋Ｔの後耳Ｔ２を上方に持ち上げると、この後耳Ｔ２が耳保持具５の離脱防止片５ａに当接する〔図１、図３（ａ）参照。）。
【００４１】
この状態から離脱防止片５ａの弾性力に抗して後耳Ｔ２を上方に向けて押圧すると、離脱防止片５ａが、図中矢印で示すように後上方へ弾性変形して、後耳Ｔ２が後耳保持部２２に挿入される〔図１、図３（ｂ）参照。〕。
【００４２】
そして、後耳Ｔ２が、離脱防止片５ａを越えて後耳保持部２２に完全に挿入されると、離脱防止片５ａは、その弾性復元力によって、下方へと移動するが、弾性変形規制部５ｂである基板後端部５５が傾斜片部２２ｂによって規制され、離脱防止片５ａのそれ以上の下方への移動を規制し、元の位置まで確実に戻されると共に、後耳Ｔ２が後耳保持部２２から離脱することを防止して、雨樋Ｔが樋支持具本体２に保持されるのである〔図１、図３（ｃ）参照。）。
【実施例２】
【００４３】
次に、本発明に係る雨樋支持具Ａの他の実施例について説明する。
【００４４】
図４は、本発明に係る雨樋支持具Ａの他の実施例を示す概略側面図であり、図５は、図４で示した耳保持具の詳細図であり、図５（ａ）は耳保持具の斜視図、図５（ｂ）は耳保持具の正面図、図５（ｃ）は耳保持具の側面図、図５（ｄ）は耳保持具の平面図を各々示している。図６は、図４で示した後耳保持部に雨樋の後耳を取り付ける際の動作状態を示した要部拡大図であり、図６（ａ）は後耳を取り付ける前の後耳保持部の動作状態、図６（ｂ）は耳保持具の弾性に抗しながら後耳を後耳保持部に挿入している動作状態、図６（ｃ）は後耳を取り付けた後の後耳保持部の動作状態を各々示している。
【００４５】
ここで、図１〜図３と共通する部位には、共通の番号を付して、その説明は省略することにし、以下では、本実施例の特徴について主に説明する。
【００４６】
すなわち、本実施例では、雨樋Ｔの後耳Ｔ２が、雨樋Ｔ後端から前側に向けて突出された内耳型の形状のものであり、このような後耳Ｔ２形状に対応させた耳保持具５の具体的構造に特徴がある。
【００４７】
この耳保持具５は、上方へ弾性変形可能であって、且つ、下方への弾性変形を規制可能な弾性変形規制部５ｂを備えた離脱防止片５ａが一体的に形成されて構成されている点では実施例１と同じであるが、その具体的構造が異なっている。
【００４８】
すなわち、図５（ａ）〜（ｄ）に示すように、板バネ材で形成された基板５１の両側端を下方へ僅かに折り曲げて鍔部５２を形成すると共に、基板５１の前端から後方に向けて、その一部を図例のようにコ状に切り欠き、その切り欠いた片を上方に切り起こして取付片５３を形成してなる。なお、取付片５３の適所には、取付孔５４を開設している。
【００４９】
この取付片５３の切り起こす角度は、実施例１とは異なり、鉛直方向を僅かに越える程にまで切り起こして形成している。
【００５０】
そして、図のように形成した取付片５３を、図４で示すように、樋支持具本体２の本体部２３後端に形成された立上片２２ａの垂直面部分にリベット、溶接等の固着手段５６によって固定することによって、この実施例２では、基板後端部５５が後方に突出された構造の離脱防止片５ａを形成できる。
【００５１】
同時に、取付片５３の前方に位置された基板５１の先端は、樋支持具本体２の本体部２３の後端部分に当接され、この基板５１の先端が上方に向けて弾性変形されることがないため、離脱防止片５ａが上方へ弾性変形可能であって、且つ、下方への弾性変形を規制可能となる弾性変形規制部５ｂを形成できる。
【００５２】
このように構成された本発明の雨樋支持具Ａは、実施例１と同じ要領で雨樋Ｔを取り付けるのであるが、その要部の特徴的な動作についてのみ説明する。
【００５３】
すなわち、雨樋Ｔの前耳Ｔ１を樋支持具本体２の前耳保持部２１に一旦係止させたうえで、雨樋Ｔの後耳Ｔ２を上方に持ち上げると、この後耳Ｔ２が耳保持具５の離脱防止片５ａに当接する〔図４、図６（ａ）参照。）。
【００５４】
この状態から離脱防止片５ａの弾性力に抗して後耳Ｔ２を上方に向けて押圧すると、離脱防止片５ａが、図中矢印で示すように前上方へ弾性変形して、後耳Ｔ２が後耳保持部２２に挿入される〔図４、図６（ｂ）参照。）。
【００５５】
そして、後耳Ｔ２が、離脱防止片５ａを越えて後耳保持部２２に完全に挿入されると、離脱防止片５ａは、その弾性復元力によって、下方へと移動されるが、弾性変形規制部５ｂである基板５１の先端が本体部２３によって規制され、離脱防止片５ａのそれ以上の下方への移動を規制し、元の位置まで確実に戻されると共に、後耳Ｔ２が後耳保持部２２から離脱することを防止して、雨樋Ｔが樋支持具本体２に保持されるのである〔図４、図６（ｃ）参照。）。
【００５６】
以上、実施例１、２で説明した通り、本発明の雨樋支持具Ａによれば、雨樋Ｔの後耳Ｔ２の形状に応じた耳保持具５を容易に形成でき、この耳保持具５を樋支持具本体２に固定するだけで、その雨樋Ｔに応じた後耳保持部２２を構成できる。
【００５７】
そのため、雨樋Ｔの後耳Ｔ２形状の変化に応じて、樋支持具本体２を一々形成する必要がなく、樋支持具本体２を共用することができ、雨樋支持具Ａの生産性を高めることができるのである。
【産業上の利用可能性】
【００５８】
本発明は、樋支持具本体を共用可能な生産性の良い雨樋支持具として有効に利用することが可能である。
【図面の簡単な説明】
【００５９】
【図１】本発明に係る雨樋支持具Ａの一実施例を示す概略側面図である。
【図２】図１で示した耳保持具の詳細図であり、図２（ａ）は耳保持具の斜視図、図２（ｂ）は耳保持具の正面図、図２（ｃ）は耳保持具の側面図、図２（ｄ）は耳保持具の平面図を各々示している。
【図３】図１で示した後耳保持部に雨樋の後耳を取り付ける際の動作状態を示した要部拡大図であり、図３（ａ）は後耳を取り付ける前の後耳保持部の動作状態、図３（ｂ）は耳保持具の弾性に抗しながら後耳を後耳保持部に挿入している動作状態、図３（ｃ）は後耳を取り付けた後の後耳保持部の動作状態を各々示している。
【図４】本発明に係る雨樋支持具Ａの他の実施例を示す概略側面図である。
【図５】図４で示した耳保持具の詳細図であり、図５（ａ）は耳保持具の斜視図、図５（ｂ）は耳保持具の正面図、図５（ｃ）は耳保持具の側面図、図５（ｄ）は耳保持具の平面図を各々示している。
【図６】図４で示した後耳保持部に雨樋の後耳を取り付ける際の動作状態を示した要部拡大図であり、図６（ａ）は後耳を取り付ける前の後耳保持部の動作状態、図６（ｂ）は耳保持具の弾性に抗しながら後耳を後耳保持部に挿入している動作状態、図６（ｃ）は後耳を取り付けた後の後耳保持部の動作状態を各々示している。
【符号の説明】
【００６０】
Ａ      雨樋支持具
Ｔ      雨樋
Ｔ１    前耳
Ｔ２    後耳
１      取付杆
２      樋支持具本体
２１    前耳保持部
２２    後耳保持部
２２ａ  立上片
２３    本体部
５      耳保持具
５ａ    離脱防止片
５ｂ    弾性変形規制部
５１    基板
５２    鍔部
５３    取付片
【図１】
2006063712.tif 000003
【図２】
2006063712.tif 000004
【図３】
2006063712.tif 000005
【図４】
2006063712.tif 000006
【図５】
2006063712.tif 000007
【図６】
2006063712.tif 000008